(57)【要約】【課題】部品点数を削減でき、また、超軟質ボールを用いた球技に加えて他の用途に供することができて、製造コストを効果的に低減できる捕球用ミットを提供すること。【解決手段】捕球用ミットは、捕球袋１と、捕球袋の捕球口５の主要部を保持するフレーム２と、捕球口５の一部を保持する支持体３と、フレーム２の端部に連結されたグリップ４とで構成される。フレーム２の連結端部の抜止部に、グリップ４内に一体に形成した係合突起を係合させて、少ない部品点数でグリップ４をフレーム２に連結する。グリップ４に隣接するフレームの二股部２３を、対向方向に変位可能な２つの変位部で形成する。使用者は、二股部２３を把持して変位部を変位させる動作を繰り返すことにより、握力の鍛錬を行うことができる。部品点数を削減し、かつ、球技に加えて他の用途に供することにより、捕球用ミットの製造コストを削減する。【選択図】図１
2008125573.tif 000002
【特許請求の範囲】
【請求項１】
捕球袋の縁に設けられた取付筒部にフレームと支持体を挿通して捕球口を形成し、上記支持体に関して捕球口と反対側に延びるフレームの端部にグリップが連結された捕球用ミットにおいて、
上記フレームは、捕球袋の取付筒部に挿通されると共に取付筒部の位置を規制する捕球袋規制手段が設けられた湾曲部と、湾曲部の両端からそれぞれ延出し且つ支持体が取り付けられると共に支持体の取付位置を規制する支持体規制手段が設けられた一対の支持体取付部と、一対の支持体取付部の端からそれぞれ延出し且つ対向する方向に変位可能な一対の変位部で形成された二股部と、前記一対の変位部の端からそれぞれ延出し且つグリップが連結されると共にグリップの抜け止めを行う抜止部が設けられた一対の連結端部とを有して合成樹脂で一体に形成され、
上記支持体は、上記二股部の変位に伴って変形可能に形成され、
上記グリップは、上記フレームの連結端部の抜止部に係合する係合部を有していることを特徴とする捕球用ミット。
【請求項２】
上記フレームの捕球袋規制手段は、フレームの湾曲部に形成された凸部であり、上記フレームの支持体規制手段は、フレームの支持体取付部に湾曲部と隣接して形成された段部であることを特徴とする請求項１に記載の捕球用ミット。
【請求項３】
請求項１に記載の捕球用ミットを組み立てるための組み立てキットであって、
縁に取付筒部が設けられた捕球袋と、
上記捕球袋の取付筒部に挿通されると共に取付筒部の位置を規制する捕球袋規制手段が設けられた湾曲部と、湾曲部の両端からそれぞれ延出し且つ支持体が取り付けられると共に支持体の取付位置を規制する支持体規制手段が設けられた一対の支持体取付部と、一対の支持体取付部の端からそれぞれ延出し且つ対向する方向に変位可能な一対の変位部で形成された二股部と、前記一対の変位部の端からそれぞれ延出し且つグリップが連結されると共にグリップの抜け止めを行う抜止部が設けられた一対の連結端部とを有し、合成樹脂で一体に形成されたフレームと、
上記二股部の変位に伴って変形可能に形成され、上記フレームの支持体取付部に取り付けられる支持体と、
上記フレームの連結端部の抜止部に係合する係合部を有し、上記フレームの固定端部に連結されるグリップと
を備えることを特徴とする捕球用ミットの組み立てキット。
【発明の詳細な説明】
【技術分野】
【０００１】
本発明は、捕球用ミットに関し、例えば、超軟質ボールを用いた球技に加えて、握力の鍛錬や、野球観戦時の捕球等の多様な用途に供することができる捕球用ミットに関する。
【背景技術】
【０００２】
皮革製のグローブやミットなどの捕球用具を用いて行う野球やソフトボール等の球技は、危険防止や技術向上のために十分な熟練が必要であり、競技内容が比較的ハードであることから、幼児、老人、婦女子あるいは身体障害者などには馴染み難いものである。
【０００３】
そこで、本願発明者は、幼児や婦女子あるいは老人や身体障害者等が球技を気軽に楽しめるように、超軟質ボールを用いた球技に好適な捕球用ミットを提案している（例えば、特許文献１参照）。
【０００４】
この捕球用ミットは、超軟質ボールを受け入れる捕球袋と、この捕球袋の捕球口を環状形状に保持する保形フレームと、この保形フレームに対して捕球袋の捕球口を保持するための環状形状の一部を補完する補助フレームと、保形フレームおよび補助フレームの各々の両端部を強固に連結するグリップとを備えて構成されている。このグリップは、内部に別体の抜け止め部材を収容して固定するように形成されており、この抜け止め部材に、保形フレームの両端部と補強フレームの両端部とを係合している。
【特許文献１】特開２００４−３２９６７４号公報
【発明の開示】
【発明が解決しようとする課題】
【０００５】
しかしながら、上述の捕球用ミットは、グリップ内に、保形フレーム及び補助フレームの各々の両端部を連結する別体の抜け止め部材を収容しているので構造が複雑であり、また、部品点数が比較的多くて、製造コストが比較的高いという問題がある。
【０００６】
また、上記捕球用ミットは、専ら超軟質ボールを用いた球技に適したものであり、この球技の競技者数は未だ少ないことから、製造個数が少なくて、製造コストの低減が困難であるという問題がある。このように、捕球用ミットの製造コストが高いことは、幼児や婦女子あるいは老人や身体障害者等が気軽に楽しめる球技の普及に対して障害となる。
【０００７】
そこで、本発明は、部品点数を削減でき、また、超軟質ボールを用いた球技に加えて他の用途に供することができて、製造コストを効果的に低減できる捕球用ミットを提供することを課題とする。
【課題を解決するための手段】
【０００８】
上記課題を解決するため、本発明の捕球用ミットは、捕球袋の縁に設けられた取付筒部にフレームと支持体を挿通して捕球口を形成し、上記支持体に関して捕球口と反対側に延びるフレームの端部にグリップが連結された捕球用ミットにおいて、上記フレームは、捕球袋の取付筒部に挿通されると共に取付筒部の位置を規制する捕球袋規制手段が設けられた湾曲部と、湾曲部の両端からそれぞれ延出し且つ支持体が取り付けられると共に支持体の取付位置を規制する支持体規制手段が設けられた一対の支持体取付部と、一対の支持体取付部の端からそれぞれ延出し且つ対向する方向に変位可能な一対の変位部で形成された二股部と、前記一対の変位部の端からそれぞれ延出し且つグリップが連結されると共にグリップの抜け止めを行う抜止部が設けられた一対の連結端部とを有して合成樹脂で一体に形成され、上記支持体は、上記二股部の変位に伴って変形可能に形成され、上記グリップは、上記フレームの連結端部の抜止部に係合する係合部を有していることを特徴としている。
【０００９】
上記構成によれば、グリップが備える係合部が、フレームの連結端部の抜止部に係合することにより、グリップがフレームに抜け止めされて連結される。また、捕球袋の捕球口の一部を支持する支持体は、従来のようにグリップに係合しないで、フレームの支持体取付部に取り付けられる。したがって、グリップの内部に別体の抜け止め部材を収容し、この抜け止め部材に、保形フレームの両端部と補強フレームの両端部とを係合して固定した従来の捕球用ミットよりも、少ない部品点数によって簡単にグリップと支持体をフレームに取り付けることができる。また、上記支持体は、フレームに対する取り付け位置が支持体規制手段によって規制されるので、従来のようにグリップに係合しなくても取り付け位置が適切に保持されて、捕球袋の捕球口の形状が適切に保持される。このように、本発明によれば、捕球性能を低下することなく、従来よりも少ない部品点数によって簡単な構造の捕球用ミットが得られる。したがって、捕球用ミットの製造コストを低減することができる。
【００１０】
また、フレームの二股部の２つの変位部が対向する方向に力が与えられると、この変位部が変位して互いに近づく。したがって、捕球用ミットの使用者は、フレームの二股部に力を与えて変位部を近づける動作を繰り返すことにより、握力の鍛錬を行うことができる。ここで、二股部の変位部の変位に伴ってフレームの支持体取付部が移動しても、この支持体取付部に取り付けられた支持体が二股部の変位に伴って変形する。したがって、この支持体によって一部が支持された捕球袋の捕球口は、フレームの二股部が変位しても適切な形状に保持される。すなわち、この捕球用ミットは、捕球性能を損なうことなく、捕球用途以外の握力鍛錬の用途に用いることができる。
【００１１】
また、この捕球用ミットは、捕球口を比較的大きい寸法に形成できるので、野球やソフトボールの観戦客によるホームランボールの捕球用途に用いることが可能である。この場合、観戦客は、野球やソフトボールの観戦を行いながら、握力鍛錬を行うことができる。
【００１２】
このように、本発明の捕球用ミットは、球技の競技者のみでなく、球技の観戦者によっても使用できるので、従来よりも多くの需要を喚起して製造コストを低減でき、ひいては、幼児や婦女子あるいは老人や身体障害者等が気軽に楽しめる球技の普及を図ることができる。
【００１３】
一実施形態の捕球用ミットは、上記フレームの捕球袋規制手段は、フレームに形成された凸部であり、上記フレームの支持体規制手段は、フレームに形成された段部である。
【００１４】
上記実施形態によれば、フレームに形成された凸部によって、簡単な構成で捕球袋の取付筒部の位置を適切に規制できる。また、フレームの支持体取付部に湾曲部と隣接して形成された段部により、簡易な構成で支持体の位置を適切に規制できる。このようなフレームの凸部及び段部は、合成樹脂の射出成型によって簡単かつ安価に形成できる。したがって、捕球袋をフレーム及び支持体に安定して保持できて、大量生産に適した捕球用ミットが得られる。
【００１５】
本発明の捕球用ミットの組み立てキットは、上述の捕球用ミットを組み立てるための組み立てキットであって、縁に取付筒部が設けられた捕球袋と、上記捕球袋の取付筒部に挿通されると共に取付筒部の位置を規制する捕球袋規制手段が設けられた湾曲部と、湾曲部の両端からそれぞれ延出し且つ支持体が取り付けられると共に支持体の取付位置を規制する支持体規制手段が設けられた一対の支持体取付部と、一対の支持体取付部の端からそれぞれ延出し且つ対向する方向に変位可能な一対の変位部で形成された二股部と、前記一対の変位部の端からそれぞれ延出し且つグリップが連結されると共にグリップの抜け止めを行う抜止部が設けられた一対の連結端部とを有し、合成樹脂で一体に形成されたフレームと、上記二股部の変位に伴って変形可能に形成され、上記フレームの支持体取付部に取り付けられる支持体と、上記フレームの連結端部の抜止部に係合する係合部を有し、上記フレームの固定端部に連結されるグリップとを備えることを特徴としている。
【００１６】
上記構成によれば、捕球袋の取付筒部にフレームの湾曲部と支持体を挿通し、この支持体をフレームの支持体取付部に取り付け、このフレームの連結端部にグリップを連結し、
上記グリップが備える係合部を、フレームの連結端部の抜止部に係合することにより、グリップをフレームに連結することにより、捕球用ミットを組み立てることができるので、部品点数が少なくて簡単に組み立てることができて、安価な捕球用ミットの組み立てキットが得られる。
【発明の効果】
【００１７】
上述のように、本発明によれば、捕球袋の取付筒部にフレームの湾曲部と支持体を挿通して捕球口を形成し、フレームの連結端部の抜止部に、グリップが備える係合部を係合してグリップを連結し、また、上記支持体をフレームの支持体取付部に取り付けて支持体規制手段によって取付位置を適正に保持するので、捕球口の形状を適正に保持でき、しかも、従来よりも部品点数が少ない捕球用ミットが得られる。また、フレームの二股部が、対向する方向に変位可能な２つの変位部で形成されているので、この二股部を使用者が把持して変位させる動作を繰り返すことにより、握力の鍛錬を行うことができる。このように、構造を簡単にするとともに、捕球以外の他の用途を提供することにより、捕球用ミットの製造コストを低減することができる。
【発明を実施するための最良の形態】
【００１８】
以下、本発明の実施形態を、図面を参照しながら詳細に説明する。図１は本発明の実施形態の捕球用ミットを示す斜視図であり、図２は、この捕球用ミットの分解斜視図である。この捕球用ミットは、主に、発泡ポリウレタンなどで形成された超軟質ボールを捕球するためのものである。この捕球用ミットは、超軟質ボールを受け入れる捕球袋１と、この捕球袋の捕球口５の主要部を保持するフレーム２と、このフレーム２に取り付けられて捕球口５の一部を保持する支持体３と、フレーム２の端部に連結されたグリップ４とで大略構成されている。
【００１９】
上記捕球袋１は、図３の展開図に示すように、１枚の帯状布１１の対向する２つの長辺の中央に、矩形状布１２の長辺を夫々縫い合わせて形成されている。これらの帯状布１１および矩形状布１２は、超軟質ボールに馴染みのよい生地、例えばネット生地または織り生地を素材として形成されている。これらの生地は、目の詰まった生地に比較して、空気抵抗を軽減するよう適当な通気性を有しているので、超軟質ボールを受け止めるのに好適である。
【００２０】
帯状布１１の先端側の縁には、図１に示すように、縁部を折り返して筒状に縫い合わせた先端側取付筒部１１ａが設けられていると共に、帯状布１１のグリップ側の縁には、縁部を折り返して筒状に縫い合わせたグリップ側取付筒部１１ｂが形成されている。一方、２つの矩形状布１２には、帯状布１１に縫い合わされた側と反対側の長辺の縁に、折り返した縁部を筒状に縫い合わせて形成された側方取付筒部１２ａ，１２ａが形成されている。
【００２１】
図４はフレーム２の平面図であり、図５はフレーム２の側面図である。このフレーム２は合成樹脂で一体成形された樹脂成形品であって、或る程度の可撓性を有している。フレーム２は、図３に示すように、捕球袋１の捕球口５の主要部を保持する湾曲部２１と、この湾曲部２１の両端に連なり、支持体３を支持する支持体取付部２２と、この支持体取付部２２に連なり、対向する２つの変位部で形成された二股部２３と、この二股部２３に連なり、グリップ４が連結される連結端部２４を有する。このフレームの湾曲部２１は、捕球袋１の先端側取付筒部１１ａに挿通される先端部２１ａと、この先端部２１ａの両側に連なり、捕球袋１の２つの側方取付筒部１２ａ，１２ａに挿通される側方部２１ｂ，２１ｂとを含んでいる。
【００２２】
上記フレームの湾曲部２１には、先端部２１ａと側方部２１ｂとの間に、捕球袋の先端側取付筒部１１ａの位置を規制する規制手段としての凸部２１ｃが設けられている。この凸部２１ｃは、フレーム２の表裏両面側に突出して設けられている。この凸部２１ｃは、捕球袋の側方取付筒部１２ａに対して、フレーム２の先端方向の規制手段を兼ねている。
【００２３】
フレームの湾曲部２１と支持体取付部２２との間には、幅方向の段差を形成する段部２８が設けられている。この段部２８の内側面によって、捕球袋の側方取付筒部１２ａに対して、グリップ４方向の動きを規制することができる。また、この段部２８の外側面によって、支持体３に対して、フレーム２の先端方向の動きを規制することができる。
【００２４】
フレームの支持体取付部２２と二股部２３との間には、幅方向の段差を形成する段部２６が設けられている。この段部２６に連なる二股部２３は、段部２６よりも厚みが大きく形成されていて、段部２６と二股部２３との間に、フレーム２の先端方向を向く段差面２７が形成されている。この段差面２７により、支持体３に対して、グリップ４方向の動きを規制することができる。
【００２５】
フレームの二股部２３は、段差部２６から連結端部２４に向うにつれて互いに近接するように延在する２つの変位部で形成されている。この２つの変位部は、図４の平面図に示すように、逆ハ字状をなしている。
【００２６】
フレームの連結端部２４は、二股部２３の先端から夫々平行に延びる２つの平行部材を含んで形成されている。この平行部材の端よりも二股部２３側の位置に、抜止部２５が設けられている。この抜止部２５は、連結端部２４の表裏面に形成された凹部２５ａ，２５ａによって形成されている。
【００２７】
図６は、上記支持体３の平面図であり、図７は支持体３の正面図である。支持体３は、フレーム２よりも弾性係数が小さいゴムを用いて形成されており、図６及び図７に示すように、環状の幅広ベルトの形状を有する。この支持体３は、捕球袋のグリップ側取付筒部１１ｂを挿通した状態で、このグリップ側取付筒部１１ｂの両方の開口から引き出した部分をフレームの支持体取付部２２の外側面に巻き回して、フレーム２に取り付けられている。
【００２８】
図６は、フレームの連結端部２４と、この連結端部２４に連結されるグリップ４とを示した分解斜視図である。図９は、グリップ４を示す平面図であり、グリップを構成するグリップ半体の一部を除去して示している。図１０は図９に示すＢ−Ｂ線における断面図であり、図１１は図９に示すＣ−Ｃ線における断面図であり、図１２は図９に示すＤ−Ｄ線における断面図である。図８及び図９乃至図１２に示すように、グリップ４は、厚み方向に２つ割りされた２つのグリップ半体４１，４２で形成されている。このグリップ半体４１，４２は互いに略同一の形状を有し、内側に、前後方向に延びるガイド突起４１ａ，４２ａと、このガイド突起４１ａ，４１ａと直交方向に延びる係合部としての係合突起４１ｂ，４２ｂとが形成されている。連結端部２４の２つの平行部材を、グリップ半体４１，４２の側部の壁４１ｃ，４２ｃと、ガイド突起４１ａ，４２ａとの間に挟んだ状態で、グリップ半体４１，４２をボルト４４及びナット４５で固定する。これにより、フレームの連結端部の抜止部２５が、グリップ半体の係合突起４１ｂ，４２ｂに係合した状態が保持されて、グリップ４のフレーム２からの抜け止めを行うようにしている。
【００２９】
上記グリップ４は、長手方向の寸法を通常の大人の手の幅よりも小さく形成していて、通常の大人がグリップ４の後端に小指が位置するように把持したとき、手の親指側がグリップ４の前端よりも前側に外れてフレームの二股部２３を掴むようにしている。
【００３０】
上記構成の捕球用ミットは、捕球袋１の捕球口５が、これに沿った４つの取付筒部１１ａ，１１ｂ，１２ａ，１２ａに挿通されたフレーム２および支持体３によって環状に保持されているので、グリップ４を片手で把持して捕球口５を打球や送球の球筋に向けて構えるだけで、野球用やソフトボール用の皮革と詰め物よりなる既存のグラブやミットのようにボールが入ったときにタイミングよく閉じる操作を行うことなしに、グリップ４を把持した手の直ぐ先で捕球袋１内にボールを実感良く受け入れることができる。また、既存のグラブやミットと比較して、十分にソフトな捕球袋１内でボールの勢いを吸収して反発なく安定に捕球することができる。さらに、捕球袋１内に受け入れたボールを、グリップ４を握った直ぐ先にある開いたままの捕球口５から他方の手で容易に握って自由に送球することができる。
【００３１】
また、捕球袋１は、フレーム２と支持体３とによって捕球口５が環状に保持されているだけであるから、フレーム２を中心として捕球袋１がフレーム２の一面側で捕球する位置と他面側で捕球する位置との間で反転される。したがって、フレーム２の一面側および他面側の間で互いに同じ条件で捕球ができる。しかも、この捕球袋１の向きの反転は、捕球者が行わなくても捕球するボールの勢いによって自然に行われる。したがって、既存のグラブやミットのように手表裏を反転させることなく、グリップ４を把持した手を身体の左側から右側に振るだけで、あるいは、身体の右側から左側に振るだけで、容易に捕球袋１の向きを反転させることができる。したがって、各種球筋のボールを捕球したり、捕球したボールを他へ送球したりするのに、既存のグラブやミットを使う場合よりも操作が格段に容易で、熟練なしに行える。そのため、この捕球用ミットは、安全性の高い超軟質ボールと組み合わせることにより、幼児や婦女子あるいは老人や身体障害者などが特に練習せずに行う遊びやゲームに適し、幼児からシニアまでの幅広い範囲に適用されるゲームを構成することができる。
【００３２】
また、この捕球用ミットは、従来よりも少ない部品点数によって構成できる。すなわち、グリップ４内に一体に形成した係合突起４１ｂ，４２ｂを、フレームの連結端部の抜止部２５に係合させて、フレーム２にグリップ４の抜け止めして連結する。また、捕球袋１の捕球口５の一部を支持する支持体３を、従来のようにグリップに係合しないで、フレームの支持体取付部２２に取り付ける。したがって、グリップの内部に別体の抜け止め部材を収容し、この抜け止め部材に、保形フレームの両端部と補強フレームの両端部とを係合して固定した従来の捕球用ミットよりも、少ない部品点数によって簡単にグリップ４と支持体３をフレーム２に取り付けることができる。また、上記支持体３は、フレーム２に対する取り付け位置が、規制手段としての段部２８の外側面と段差面２７とで規制されるので、従来のようにグリップに係合しなくても取り付け位置が適切に保持される。したがって、従来よりも少ない部品点数で、捕球袋１の捕球口５の形状を適切に保持することができる。このように、本実施形態によれば、捕球性能を低下することなく、従来よりも少ない部品点数によって簡単な構造の捕球用ミットが得られる。したがって、捕球用ミットの製造コストを低減することができる。
【００３３】
また、本実施形態の捕球用ミットは、捕球以外の他の用途を有する。すなわち、捕球用ミットの使用者が手の親指側で把持しているフレームの二股部２３の変位部に、この変位部の対向方向の力を与えると、この変位部が互いに近づくように変位する。詳しくは、二股部２３に与えられた力により、フレームの二股部２３に連なる連結端部２４に連結されたグリップ４内のガイド突起４１ａ，４１ａの先端を支点として、このフレーム２の先端側の部分が変形する。この変形に伴う二股部２３の変位部の変位量は、フレーム２を構成する合成樹脂の種類や、フレーム２の断面の大きさによって所望の量に設定する。このように、捕球用ミットの操作者は、二股部２３の変位部を変位させる動作を繰り返すことによって握力の鍛錬を行うことができる。
【００３４】
ここで、フレームの二股部２３の変位に伴って、この二股部２３に段部２６を介して連なる支持体取付部２２が変位するが、この支持体取付部２２に取り付けられた支持体３はゴムを用いて形成されているので、二股部２３の変位に伴って伸縮する。したがって、この支持体３で一部が支持された捕球袋１の捕球口５は、フレームの二股部２３が変位をしても適切な形状に保持される。すなわち、この捕球用ミットは、捕球性能を損なうことなく、捕球用途以外の握力鍛錬の用途に用いることができる。
【００３５】
また、この捕球用ミットは、捕球口５がフレームの湾曲部２１と支持体３で支持されて比較的大きい寸法に形成できるので、野球やソフトボールの観戦客によるホームランボールの捕球用途に用いることが可能である。この場合、観戦客は、野球やソフトボールの観戦を行いながら、フレームの二股部２３の変位動作を繰り返すことによって、握力鍛錬を行うことができる。
【００３６】
このように、本実施形態の捕球用ミットは、球技の競技者のみでなく、球技の観戦者によっても使用できるので、従来よりも多くの需要を喚起して製造コストを低減でき、ひいては、幼児や婦女子あるいは老人や身体障害者等が気軽に楽しめる球技の普及を図ることができる。
【００３７】
さらに、この捕球用ミットは、組み立てキットとして提供することができる。この捕球用ミットの組み立てキットは、捕球袋１と、フレーム２と、支持体３と、グリップ半体４１，４２と、ボルト４４及びナット４５とを備える。この組み立てキットは部品点数が少なくて構造が簡易であるので、幼児や婦女子あるいは老人や身体障害者などが容易に組み立てることができる。すなわち、まず、フレームの連結端部２４の一方の端から、捕球袋１の側方取付筒部１２ａと、先端側取付筒部１１ａと、側方取付筒部１２ａとを挿通させて、フレーム２に捕球袋１を取り付ける。このとき、捕球袋１の先端側取付筒部１１ａをフレームの先端部２１ａに配置する。また、捕球袋１の２つの側方取付筒部１２ａを、フレームの２つの側方部２１ｂに配置する。この後、支持体３を、フレームの一方の支持体取付部２２に巻き回した状態で、捕球袋のグリップ側取付筒部１１ｂに挿通させる。このグリップ側取付筒部１１ｂを挿通させた支持体３を、フレーム２の他方の支持体取付部２２側に伸長させてフレーム２の外側面に巻き回して、他方の支持体取付部２２の外側面に支持体３の内側面を密着させる。この後、フレームの連結端部２４にグリップ半体４１，４２を取り付けて、連結端部の抜け止め２５にグリップ半体の係合突起４１ｂ，４２ｂを係合させた状態で、ボルト４４とナット４５を締結する。こうして、フレーム２にグリップ４を連結して、捕球用ミットが完成する。
【００３８】
このように、本実施形態の捕球用ミットは、グリップ４を２つのグリップ半体４１，４２で形成すると共に、フレーム２にグリップ４と支持体３を別個に取り付けるようにしたので、従来よりも部品点数を削減できて、容易に組み立て可能な安価な組み立てキットが得られる。また、上記フレーム２は、凸部２１ｃや段部２８や段差面２７によって、捕球袋１及び支持体３の取付位置を規制するようにしたので、合成樹脂の射出成型によって簡単かつ安価に形成できる。また、この捕球用ミットは、球技以外の観戦や握力鍛錬等といった他の用途を提供できるので、製造コストを効果的に削減できる。このように、捕球用ミットを安価に提供することにより、幼児や婦女子あるいは老人や身体障害者等が気軽に楽しめる球技の普及を図ることができる。
【００３９】
なお、上記実施形態では、捕球袋１を、帯状布１１の長辺の両側に２つの矩形状布１２を縫い合わせて形成したが、上記矩形状布１２に代えて、帯状布１１よりも多少幅広の帯状布を用意し、この幅広の帯状布を上記帯状布１１と直交方向に重ね合わせて、互いの中央部を縫合して連結したものを用いてもよい。
【００４０】
また、上記実施形態では、グリップ４を一対のグリップ半体４１，４２を組み合わせて構成したが、図１３に示すように、一体に形成されたグリップ１０４を用いてもよい。この場合、フレームの連結端部１２４に、抜止部としての貫通穴１２５を形成すると共に、グリップ１４０に有底の挿入穴１４１と、この挿入穴１４１の延在方向と直交する方向に延びるボルト穴１４２を形成する。このグリップの挿入穴１４１内にフレームの連結端部１２４を挿入した後、グリップのボルト穴１４２と連結端部の貫通穴１２５とにボルト１４４を挿通して、このボルト１４４にナット１４５を締結する。このように、フレームの連結端部１２４の厚み方向に前記抜止部（貫通穴）１２５に係合する係合部としてのボルト１４４を貫通させることにより、フレーム２にグリップ１０４を抜け止めして連結してもよい。これにより、部品点数が更に削減されて、フレーム２へのグリップ１０４の取り付けを一層容易に行うことができる。
【図面の簡単な説明】
【００４１】
【図１】本発明の実施形態の捕球用ミットを示した斜視図である。
【図２】捕球用ミットの分解斜視図である。
【図３】捕球袋の展開図である。
【図４】フレームの平面図である。
【図５】フレームの側面図である。
【図６】支持体の平面図である。
【図７】支持体の正面図である。
【図８】フレームの連結端部とグリップとを示した分解斜視図である。
【図９】グリップの平面図である。
【図１０】図９のＢ−Ｂ線における断面図である。
【図１１】図９のＣ−Ｃ線における断面図である。
【図１２】図９のＤ−Ｄ線における断面図である。
【図１３】フレームの連結端部とグリップとの変形例を示した斜視図である。
【符号の説明】
【００４２】
１  捕球袋
２  フレーム
３  支持体
４  グリップ
５  捕球袋の捕球口
【図１】
2008125573.tif 000003
【図２】
2008125573.tif 000004
【図３】
2008125573.tif 000005
【図４】
2008125573.tif 000006
【図５】
2008125573.tif 000007
【図６】
2008125573.tif 000008
【図７】
2008125573.tif 000009
【図８】
2008125573.tif 000010
【図９】
2008125573.tif 000011
【図１０】
2008125573.tif 000012
【図１１】
2008125573.tif 000013
【図１２】
2008125573.tif 000014
【図１３】
2008125573.tif 000015